(57)【要約】      （修正有）【課題】使用者の好みの素材を用いて季節感や個性をおしゃれに表現することができ、ループの大きさを簡単に変更することができる三角巾を提供する。【解決手段】かぎ針を用いた長編みによって実質的に二等辺三角形の形状に編み上げられた本体１２と、本体１２の一方の端２２近傍に底辺２４に沿って適宜の間隔をおいて縫い付けられた２つのボタン１４と、本体１２の頂点にあたる箇所に一体に編み上げられた装飾部２０と、装飾部２０の裏側に縫い付けられたボタンと、装飾部２０の表側に取り付けられた装飾具１６で三角巾１０を構成した。【選択図】図１
0003156120.tif 000002
【実用新案登録請求の範囲】
【請求項１】
実質的に二等辺三角形の形状に編み上げられた本体と、一方の端近傍に配されたボタンを備えた三角巾。
【請求項２】
前記ボタンが前記本体の表側に配され、裏側の頂点近傍に別のボタンが配された請求項１に記載の三角巾。
【請求項３】
前記頂点に前記本体と一体に編み上げられた装飾部が配された請求項１または２に記載の三角巾。  
【請求項４】
前記装飾部の表側に装飾具が配された請求項３に記載の三角巾。
【考案の詳細な説明】
【技術分野】
【０００１】
本考案は、三角巾に関し、特に女性に好まれる三角巾に関する。
【背景技術】
【０００２】
医療用装具具として非健常側の腕を上半身に固定するために用いられている三角巾は、前腕から肘にかけての部位を下から覆い、両端を首の後ろなどで結び付けることによって腕を固定している。
【考案の概要】
【考案が解決しようとする課題】
【０００３】
三角巾は白色の綿布で作られたものがほとんどであり、清潔感こそあるものの、医療用装具然としているため、身に着けることに抵抗感を示す人は想像以上に多い。特に女性は、トータルコーディネートの一環として季節や着衣の色柄にあったデザインの三角巾を身に着けたいという願望が強いのであるが、従来の医療用三角巾にはほとんど選択肢がなく、嫌々ながらも身に着けているというのが実情である。そのうえ従来の三角巾には、腕の重さで両端の結び目が硬くなり、解くのに時間と手間がかかるという問題があった。
【課題を解決するための手段】
【０００４】
本考案は、これらの課題を解決するため、実質的に二等辺三角形の形状に編み上げられた本体と、一方の端近傍に配されたボタンを備えた三角巾を提供する。
【０００５】
この三角巾は、一方の端近傍に配されたボタンを他方の端近傍に留めることでループを形成し、首から脇の下にかけてたすき掛けのように装着して用いる。三角巾の本体は全体的なプロポーションが従来の三角巾と同様の二等辺三角形であればよく、３つの辺が厳密に直線であることや頂点を挟む２つ辺が全く同じ長さであることを要求するものではない。さらには３つの角がそれぞれ厳密な角を形成していることを要求するものではなく、丸みを帯びたものであってもよい。さらには頂点に本体と一体に編み上げられた装飾部を設けてもよい。
【０００６】
本体の素材は特に限定されないが、肌触りや通気性、柔軟性、費用の点から綿やポリエステル混の綿などが適している。素材の色や太さ、編み上げ方、本体の柄、大きさなどは使用者の好みに応じて自由に変えてよい。
【０００７】
編み上げ方は手編みと機械編みの何れであってもよい。好ましくはかぎ針を用いたかぎ針編みであれば、デザインの自由度が高く、さらに編み目の隙間が比較的大きくなるので、ボタンの留め外しが容易である。
【考案の効果】
【０００８】
本考案によれば、使用者の好みの素材を用いて季節感や個性をおしゃれに表現することができる。またループの大きさを簡単に変更することができる。
【図面の簡単な説明】
【０００９】
【図１】本考案の実施の形態の三角巾の正面図
【図２】本考案の実施の形態の三角巾の裏面図
【図３】本考案の実施の形態の三角巾の使用方法を示す説明図
【図４】本考案の実施の形態の三角巾の使用方法を示す説明図
【図５】本考案の実施の形態の三角巾の使用方法を示す説明図
【図６】本考案の実施の形態の三角巾の使用方法を示す説明図
【図７】本考案の実施の形態の三角巾の使用方法を示す説明図
【図８】本考案の実施の形態の三角巾の使用方法を示す説明図
【図９】本考案の実施の形態の三角巾の使用状態を示す正面図
【図１０】本考案の実施の形態の三角巾の使用状態を示す背面図
【考案を実施するための形態】
【００１０】
本考案の実施の形態について図面を参照して説明する。最初に、図１および図２を参照して三角巾の構成を説明する。三角巾１０は、本体１２と、本体１２の表側に取り付けられたボタン１４と、同じく表側に取り付けられた装飾具１６と、本体１２の裏側に取り付けられたボタン１８で構成されている。
【００１１】
本体１２は、かぎ針を用いて綿糸の長編みによって編み上げられたものであり、全体として略二等辺三角形の形状になっている。その頂点にあたる部分は末広がり形状の装飾部２０になっている。装飾部２０には花の形を模した装飾具１６が縫い付けられている。
【００１２】
ボタン１４は、本体１２の表側の一方の端２２の近傍に、底辺２４に沿って適宜の間隔（数センチメートル程度）をおいて２つ縫い付けられている。ボタン１４は、三角巾１０の２つの端２２、２６を連結してループ状にするためのものである。ボタン１４の縫い付け部には三角巾１０に腕の重さが加わったときに荷重がかかるので複数のボタン１４で荷重を分担することが望ましいが、ボタン１４の留め外しに要する負担を考慮し、ここでは２つにしている。
【００１３】
ボタン１８は、装飾部２０の裏側に、底辺２４と平行な方向に適宜の間隔（数センチメートル程度）をおいて２つ縫い付けられている。ボタン１８は、装飾部２０を本体１２に連結し、ループ状にした三角巾１０に通した腕を固定するためのものである。なお、腕はループ状にした三角巾１０に通すだけでもある程度は固定されるため、厳密な固定を要求されない場合であれば、ボタン１８を取り付けなくても三角巾としての用は果たされる。
【００１４】
次に、図３乃至図１０を参照して三角巾の使用方法を説明する。最初に、図３に示すように三角巾１０を裏向きにする。そしてボタン１４が縫い付けられている端２２側を手前に折り曲げ、ボタン１４を表に出す。それから図４に示すように端２６側を手前に折り曲げて端２２に重ね、端２６近傍の編み目と編み目の隙間にボタン１４を留める。これにより三角巾１０は端２２、２６が連結したループ状になる。
【００１５】
三角巾１０のループの大きさはボタン１４を留める位置によって自由に変えることができる。体格の大きい人や腕をあまり強く固定したくない人はループを大きめにし、逆に体格の小さい人や腕を強く固定したい人はループを小さめにするとよい。編み上げられた本体１２には全体にたくさんの編み目があるので、ボタン１４は本体１２のどの箇所にでも自由に留めることができる。
【００１６】
次に、図５に示すように装飾部２０を下にして三角巾１０を首に掛ける。このとき三角巾１０は装飾具１６が表側になる向きにする。そして首の下にできた空間２８に、図６に示すように健常側の腕３０を三角巾３０の裏側から表側に通す。これにより三角巾１０を上半身の前後にたすき掛けしたような状態となる。
【００１７】
次に、図７に示すように、非健常側の腕３２を胸部と三角巾１０の間に入れ、前腕から肘にかけて三角巾１０に覆われるようにする。そして前腕の下に垂れている装飾部２０を、図８に示すように前腕を巻き込みながら前腕と上半身の間から上に持ち上げる。
【００１８】
最後に、図９に示すように装飾部２０を装飾具１６が表になるように前腕側に引き出し、裏側のボタン１８を前腕に巻き付けられている本体１２に留める。これにより非健常側の腕３２は身体に固定される。図１０は三角巾１０を身に着けた様子を背面からみたものである。図９および図１０から明らかなように、三角巾１０には結び目が存在しないので、硬い結び目が身体に当たることによる不快感や痛みとは無縁である。さらに編み上げられた三角巾１０は全体として柔らかく、ある程度の伸縮性も備えているので、布ずれなどが起りにくく装着感が快適である。
【００１９】
ボタン１４、１８は、編み目と編み目の間の隙間を広げたときに留めることができ、留めた後は自然に外れることがないような大きさのものを使用している。
【００２０】
装飾具１６は必須のものではないが、医療用装具である三角巾１０をおしゃれに装う装飾性のほかに、三角巾１０の表側を示す目印となる機能性も併せ持っている。
【符号の説明】
【００２１】
１０  三角巾
１２  本体
１４、１８  ボタン
２０  装飾部
２２、２６  端  
【図１】
0003156120.tif 000003
【図２】
0003156120.tif 000004
【図３】
0003156120.tif 000005
【図４】
0003156120.tif 000006
【図５】
0003156120.tif 000007
【図６】
0003156120.tif 000008
【図７】
0003156120.tif 000009
【図８】
0003156120.tif 000010
【図９】
0003156120.tif 000011
【図１０】
0003156120.tif 000012